(57)【要約】      （修正有）【課題】暗い環境下でかつバックライトが点灯していない場合での誤操作を防止できる電子装置、遠隔操作システム、電子装置の制御方法を提供する。【解決手段】リモコン１０１内に明るさセンサ１１６が実装される。明るさセンサ１１６の検出値により、リモコン１０１のキー操作を行うときに、操作環境下が暗いと判定されると、バックライト１１５が点灯される。また、周囲環境が所定の閾値より小さく、バックライト１１５が点灯されていないときには、リモコン１０１からのコマンド信号の送信が無効とされる。これにより、暗い場所で、バックライト１１５を点灯せずに、リモコン１０１を操作した場合のキーの誤動作が防止される。【選択図】図３
2010187236.tif 000002
【特許請求の範囲】
【請求項１】
コマンド信号を発生させるための入力キーと前記入力キーを照らす照明手段とからなる電子装置であって、
前記入力キーが操作されたときに、前記照明手段を消灯状態から点灯状態へと変化させる場合には、その入力を無効にする制御手段を備えたことを特徴とする電子装置。
【請求項２】
周囲環境下の明るさを検出する明るさ検出手段をさらに有し、
前記制御手段は、前記入力キーが操作されたときに、周囲環境下の明るさが所定の明るさ以下で、前記照明手段が消灯された状態であれば、前記照明手段を消灯状態から点灯状態へと変化させ、その入力を無効にすることを特徴とする請求項１に記載の電子装置。
【請求項３】
入力キーと、前記入力キーからの操作情報に基づいてコマンド信号を生成する第１の制御手段と、前記コマンド信号を送信する送信手段とを有する遠隔操作装置と、
前記遠隔操作装置の送信手段からのコマンド信号を受信する受信手段と、前記受信手段により受信したコマンド信号に応じて動作状態を設定する第２の制御手段とを有する被遠隔操作装置とを備えた遠隔操作システムにおいて、
前記遠隔操作装置は、さらに前記入力キーを照らす照明手段と、周囲環境下の明るさを検出する明るさ検出手段を備え、
前記第１の制御手段は、前記入力キーが操作されたときに、前記遠隔操作装置の前記明るさ検出手段の検出値から得られる周囲環境下の明るさ値が所定の閾値より小さく、前記照明手段が消灯された状態であれば、その入力を無効にすることを特徴とする遠隔操作システム。
【請求項４】
入力キーと、前記入力キーからの操作情報に基づいてコマンド信号を生成する第１の制御手段と、前記コマンド信号を送信する送信手段とを有する遠隔操作装置と、
前記遠隔操作装置の送信手段からのコマンド信号を受信する受信手段と、前記受信手段により受信したコマンド信号に応じて動作状態を設定する第２の制御手段とを有する被遠隔操作装置とを備えた遠隔操作システムにおいて、
前記遠隔操作装置は、さらに前記入力キーを照らす照明手段を備え、
前記被遠隔操作装置は、さらに周囲環境下の明るさを検出する明るさ検出手段を備え、
前記第２の制御手段は、前記コマンド信号を受信したときに、前記被遠隔操作装置の前記明るさ検出手段の検出値から得られる周囲環境下の明るさ値が所定の閾値より小さく、前記照明手段が点灯されていないと推定される状態であれば、そのコマンド信号を無効にすることを特徴とする遠隔操作システム。
【請求項５】
前記第２の制御手段は、前記コマンド信号の受信タイミングから前記照明手段が消灯された状態であるか否かを推定することを特徴とする請求項４に記載の遠隔操作システム。
【請求項６】
前記第１の制御手段は、前記照明手段を点灯しているか否かを示す状態フラグを前記コマンド信号に付加して送信し、
前記第２の制御手段は、前記コマンド信号の状態フラグを検出して、前記照明手段が消灯された状態であるか否かを推定することを特徴とする請求項４に記載の遠隔操作システム。
【請求項７】
前記入力キーは特殊キーを含み、前記特殊キーが操作されたときには、前記第２の制御手段の判断によらず、受信したコマンド信号を有効とすることを特徴とする請求項４乃至６の何れかに記載の遠隔操作システム。
【請求項８】
入力キーと、前記入力キーからの操作情報に基づいてコマンド信号を生成する第１の制御手段と、被遠隔操作装置との間で双方向に通信を行う第１の送受信手段とを有する遠隔操作装置と、
前記遠隔操作装置との間で双方向に通信を行う第２の送受信手段と、前記第２の送受信手段により受信したコマンド信号に応じて動作状態を設定する第２の制御手段とを有する被遠隔操作装置とを備えた遠隔操作システムにおいて、
前記遠隔操作装置は、さらに前記入力キーを照らす照明手段を備え、
前記被遠隔操作装置は、さらに周囲環境下の明るさを検出する明るさ検出手段を備え、
前記第１の制御手段は、前記入力キーが操作されたときには、前記第２の制御手段との間で通信を行い、前記被遠隔操作装置の前記明るさ検出手段の検出値を取得し、前記被遠隔操作装置の前記明るさ検出手段の検出値から得られる周囲環境下の明るさ値が所定の閾値より小さく、前記照明手段が消灯された状態なら、その入力を無効にすることを特徴とする遠隔操作システム。
【請求項９】
コマンド信号を発生させるための入力キーと前記入力キーを照らす照明手段とからなる電子装置の制御方法であって、
前記入力キーが操作されたときに、前記照明手段が消灯状態から点灯状態へと変化する場合には、その入力が無効となることを特徴とする電子装置の制御方法。
【発明の詳細な説明】
【技術分野】
【０００１】
本発明は、テレビジョン受信機等の電子機器を遠隔操作するためのリモコンに用いて好適な電子装置、遠隔操作システム、電子装置の制御方法に関する。
【背景技術】
【０００２】
従来より、赤外線通信などを用い、遠隔操作装置（以後、リモコンと呼ぶ）と被遠隔操作装置の間を無線化した遠隔操作システムがさまざまな分野で広く普及している。一方で、家電機器においては、リモコンの操作環境は広範囲にわたる。特にテレビジョン受信機やＡＶ（Ａｕｄｉｏ  Ｖｉｓｕａｌ）装置などは、映像や音声に集中するため、暗い環境下でリモコンを使用することも一般的である。このような暗い環境下でもユーザが正確に操作できるリモコンが求められていた。
【０００３】
近年、安価で低消費電力、長寿命のＬＥＤ（Ｌｉｇｈｔ  Ｅｍｉｔｔｉｎｇ  Ｄｉｏｄｅ）が広く普及するようになった。このＬＥＤをリモコンのキー直下に内蔵し、バックライトとして用い、暗い環境下においてもユーザの操作性を確保する構成が従来より提案されていた。さらにこのバックライトを制御するための新しい工夫がこれまで数多く提案されている。例えば、特許文献１では、キー入力でバックライトを点灯し、最終のキー入力時からの経過時間を計り、バックライトを消灯する構成を提案している。この特許文献１の制御構成により、キー入力を続ける間はバックライトを点灯する。またキー入力がある時間内なければバックライトを消灯することで操作性と省電力の両立を図っている。
【先行技術文献】
【特許文献】
【０００４】
【特許文献１】特開平１−２３７８１０号公報
【発明の概要】
【発明が解決しようとする課題】
【０００５】
バックライトを有するリモコンで常にバックライトを点灯させ続けていると、消費電力が大きくなり、バッテリが短時間で尽きてしまう。これに対して、特許文献１に示されるものでは、キー入力がある時間内なければバックライトは消灯されることになり、操作性と省電力の両立が図られる。
ところが、特許文献１に示されるものでは、暗い環境下で長時間キー入力がないと、バックライトは消灯されてしまう。したがって、暗い環境下で長時間キー入力がない状態からキー入力をする場合には、バックライトを点灯させずに、操作を行う必要がある。このように、暗い環境下でかつバックライトが点灯していない場合でのユーザのキー操作は正確なものとはいえない。
【０００６】
上述の課題に鑑み、本発明は、暗い環境下でかつバックライトが点灯していない場合での誤操作を防止できる電子装置、遠隔操作システム、電子装置の制御方法を提供することを目的とする。
【課題を解決するための手段】
【０００７】
上述の課題を解決するために、本発明に係る電子装置は、コマンド信号を発生させるための入力キーと入力キーを照らす照明手段とからなる電子装置であって、入力キーが操作されたときに、照明手段を消灯状態から点灯状態へと変化させる場合には、その入力を無効にする制御手段を備えたことを特徴とする。
【０００８】
本発明に係る遠隔操作システムは、入力キーと、入力キーからの操作情報に基づいてコマンド信号を生成する第１の制御手段と、コマンド信号を送信する送信手段とを有する遠隔操作装置と、前記遠隔操作装置の送信手段からのコマンド信号を受信する受信手段と、受信手段により受信したコマンド信号に応じて動作状態を設定する第２の制御手段とを有する被遠隔操作装置とを備えた遠隔操作システムにおいて、遠隔操作装置は、さらに入力キーを照らす照明手段と、周囲環境下の明るさを検出する明るさ検出手段を備え、第１の制御手段は、入力キーが操作されたときに、遠隔操作装置の明るさ検出手段の検出値から得られる周囲環境下の明るさ値が所定の閾値より小さく、照明手段が消灯された状態であれば、その入力を無効にすることを特徴とする。
【０００９】
本発明に係る遠隔操作システムは、入力キーと、入力キーからの操作情報に基づいてコマンド信号を生成する第１の制御手段と、コマンド信号を送信する送信手段とを有する遠隔操作装置と、遠隔操作装置の送信手段からのコマンド信号を受信する受信手段と、受信手段により受信したコマンド信号に応じて動作状態を設定する第２の制御手段とを有する被遠隔操作装置とを備えた遠隔操作システムにおいて、遠隔操作装置は、さらに入力キーを照らす照明手段を備え、被遠隔操作装置は、さらに周囲環境下の明るさを検出する明るさ検出手段を備え、第２の制御手段は、コマンド信号を受信したときに、被遠隔操作装置の明るさ検出手段の検出値から得られる周囲環境下の明るさ値が所定の閾値より小さく、照明手段が点灯されていないと推定される状態であれば、そのコマンド信号を無効にすることを特徴とする。
【発明の効果】
【００１０】
本発明によれば、被遠隔操作装置または遠隔操作装置に明るさセンサを設け、周囲環境下の明るさの値と、照明手段の点灯状況により、キー操作を有効にするか否かを判断している。これにより、照明手段を点灯を続けることなく、また暗い室内で照明手段を点灯しない状況下でのキー誤操作を防止し、適切な環境下でのキー操作をすることができる。
【図面の簡単な説明】
【００１１】
【図１】本発明の第１の実施形態の遠隔操作システムの概要の説明図である。
【図２】本発明の第１の実施形態の遠隔操作システムにおけるリモコンの説明図である。
【図３】本発明の第１の実施形態の遠隔操作システムにおけるリモコンおよびテレビジョン受信機の構成の説明に用いるブロック図である。
【図４】本発明の第１の実施形態の遠隔操作システムにおけるリモコンの動作説明に用いるフローチャートである。
【図５】本発明の第１の実施形態の遠隔操作システムにおけるテレビジョン受信機の動作説明に用いるフローチャートである。
【図６】本発明の第２の実施形態の遠隔操作システムにおけるリモコンおよびテレビジョン受信機の構成の説明に用いるブロック図である。
【図７】本発明の第２の実施形態の遠隔操作システムにおけるリモコンの動作説明に用いるフローチャートである。
【図８】本発明の第２の実施形態の遠隔操作システムにおけるテレビジョン受信機の動作説明に用いるフローチャートである。
【図９】本発明の第３の実施形態の遠隔操作システムにおけるリモコンおよびテレビジョン受信機の構成の説明に用いるブロック図である。
【図１０】本発明の第３の実施形態の遠隔操作システムにおけるバックライトオンオフ状態フラグの説明図である。
【図１１】本発明の第３の実施形態の遠隔操作システムにおけるリモコンの動作説明に用いるフローチャートである。
【図１２】本発明の第３の実施形態の遠隔操作システムにおけるテレビジョン受信機の動作説明に用いるフローチャートである。
【図１３】本発明の第４の実施形態の遠隔操作システムにおけるリモコンおよびテレビジョン受信機の構成の説明に用いるブロック図である。
【図１４】本発明の第４の実施形態の遠隔操作システムにおけるリモコンの説明図である。
【図１５】本発明の第４の実施形態の遠隔操作システムにおけるテレビジョン受信機の動作説明に用いるフローチャートである。
【図１６】本発明の第５の実施形態の遠隔操作システムにおけるリモコンおよびテレビジョン受信機の構成の説明に用いるブロック図である。
【図１７】本発明の第５の実施形態の遠隔操作システムにおけるテレビジョン受信機の動作説明に用いるフローチャートである。
【図１８】本発明の第５の実施形態の遠隔操作システムにおける明るさセンサ値の受信処理の説明に用いるシーケンス図である。
【発明を実施するための形態】
【００１２】
以下、本発明の実施の形態について図面を参照しながら説明する。
＜第１の実施形態＞
図１は、本発明の第１の実施形態の遠隔操作システムの概要を示すものである。図１に示すように、本発明の第１の実施形態の遠隔操作システムは、リモコン１０１を用いて、テレビジョン受信機１０２を遠隔操作するものである。この遠隔操作システムでは、リモコン１０１が遠隔操作装置に相当し、テレビジョン受信機１０２が被遠隔操作装置に相当する。
【００１３】
リモコン１０１には、図２に示すように、入力キー群１１２が配列されている。入力キー群１１２としては、電源オン／オフキー１２０、チャンネルキー１２１、チャンネルアップ／ダウンキー１２２ａおよび１２２ｂ、ボリュームアップ／ダウンキー１２３ａおよび１２３ｂ等が含まれる。
リモコン１０１を使用する場合には、図１に示すように、ユーザは、リモコン１０１をテレビジョン受信機１０２に向け、リモコン１０１の入力キー群１１２の操作を行う。入力キー群１１２の操作が行われると、押された入力キーに対応するコマンド信号が発光部１１４（送信手段）から赤外線光のパルス列で出力される。この赤外線光は、テレビジョン受信機１０２の受光部１３０（受信手段）で受信される。テレビジョン受信機１０２の受光部１３０でリモコン１０１からの赤外線光のパルス列が受光されると、この赤外線光のパルス列のコマンド信号に応じて、テレビジョン受信機１０２の動作状態が設定される。
【００１４】
また、このリモコン１０１は、入力キー群１１２の直下にバックライト１１５（図３参照）が設けられている。バックライト１１５は、入力キー群１１２を照らす照明手段に相当する。図２（Ａ）は、バックライト１１５が消灯されている状態（消灯状態）を示し、図２（Ｂ）は、バックライト１１５が点灯されている状態を示す。周囲が暗いときには、図２（Ｂ）に示すように、バックライト１１５が点灯される（消灯状態から点灯状態へと変化する）。これにより、暗い所でも、リモコン１０１の入力キー操作が行える。
【００１５】
また、本発明の第１の実施形態では、周囲環境下の明るさを検出する明るさセンサ１１６（図３参照）が設けられる。入力キーが操作されたときに、周囲環境下の明るさと、バックライト１１５の点灯状態とに基づいて、その入力を有効にするか無効にするかを判定している。すなわち、周囲が暗いときに、バックライト１１５が点灯されずにリモコン１０１の入力キー操作が行われると、リモコン１０１からのコマンド信号の送信が停止され、入力キー操作が無効にされる。これにより、暗闇で、バックライト１１５を点灯させずに、リモコン１０１を操作した場合の誤動作が防止される。
【００１６】
図３は、本発明の第１の実施形態の遠隔操作システムにおけるリモコン１０１およびテレビジョン受信機１０２の内部構成の概要を示すものである。図３に示すように、リモコン１０１は、リモコン制御部１１１（第１の制御手段）と、入力キー群１１２と、コード発生部１１３と、発光部１１４と、バックライト１１５と、明るさセンサ１１６（明るさ検出手段）とから構成されている。
【００１７】
入力キー群１１２としては、図２に示したように、電源オン／オフキー１２０と、チャンネルキー１２１と、チャンネルアップ／ダウンキー１２２ａおよび１２２ｂと、ボリュームアップ／ダウンキー１２３ａおよび１２３ｂとが含まれる。
リモコン制御部１１１は、入力キー群１１２からの操作情報に基づいてコマンド信号を生成する。コード発生部１１３には、入力キー群１１２の各入力キーに対応するコマンド信号が蓄積されている。発光部１１４は赤外線の発光する赤外線ＬＥＤからなる。
【００１８】
バックライト１１５は、入力キー群１１２の直下に内蔵され、入力キー群１１２を照射する。バックライト１１５としては、例えばＬＥＤが用いられる。明るさセンサ１１６は、周囲環境下の明るさを検出するものである。明るさセンサ１１６としては、例えばＣｄｓ（硫化カドミウム）セルやフォトダイオードが用いられる。
【００１９】
一方、テレビジョン受信機１０２は、テレビジョン制御部１３１（第２の制御手段）が設けられる。このテレビジョン制御部１３１は、チャンネル設定やボリューム設定等、テレビジョン受信機１０２の全体制御を行っている。テレビジョン制御部１３１に対して、受光部１３０が設けられている。
【００２０】
リモコン１０１の入力キー群１１２の何れかの入力キーが押されると、コード発生部１１３から、押された入力キーに対応するコマンド信号が読み出される。リモコン制御部１１１により、入力キーからの操作情報に基づくコマンド信号が生成される。このコマンド信号は発光部１１４に送られ、発光部１１４からは、コマンド信号に対応するパルス列の赤外線が出力される。
この赤外線のパルス列によるコマンド信号は、テレビジョン受信機１０２の受光部１３０で受信される。受光部１３０の検出値がテレビジョン制御部１３１に送られる。テレビジョン制御部１３１により、このコマンド信号に応じて、テレビジョン受信機１０２の動作状態が設定される。
【００２１】
また、リモコン１０１には、明るさセンサ１１６が設けられる。明るさセンサ１１６により、操作環境下の明るさが検出される。明るさセンサ１１６の検出値がリモコン制御部１１１に送られる。
明るさセンサ１１６の検出値により、操作環境下が明るいと判定されるときには、図２（Ａ）に示すように、バックライト１１５は消灯される。リモコン１０１の入力キー操作を行うときに、明るさセンサ１１６の検出値により、操作環境下が暗いと判定されると、図２（Ｂ）に示すように、バックライト１１５が点灯される（消灯状態から点灯状態へと変化する）。これにより、ユーザは、暗い場所でも、リモコン１０１の正しい入力キー操作を行うことができる。
【００２２】
また、バックライト１１５が点灯されてから、所定時間以上、入力キー操作が行われないと、バックライト１１５は消灯される。これにより、省電力化が図られる。また、明るさセンサ１１６の検出値により操作環境下が暗いと判定され、リモコン１０１の入力キー操作が行われたときに、バックライト１１５が点灯されているか否かが判定される。そして、周囲環境下が暗いときに、バックライト１１５が点灯されていないと、リモコン１０１からのコマンド信号の送信が停止される。これにより、暗い場所でのリモコン１０１の誤動作が防止される。
【００２３】
図４は、本発明の第１の実施形態の遠隔操作システムにおけるリモコン制御部１１１の制御を示すフローチャートである。
リモコン制御部１１１は、入力キー群１１２の何れかの入力キーが押下するまで処理を待機している（ステップＳ１０１）。もし入力キー群１１２の何れかの入力キーの押下を検知した場合、リモコン制御部１１１は、処理をステップＳ１０２に進める。
【００２４】
ステップＳ１０２では、リモコン制御部１１１は、明るさセンサ１１６の値と閾値との比較を行う。もし明るさセンサ１１６の値が閾値より大きければ（ステップＳ１０２のＹｅｓ）、リモコン制御部１１１は、押された入力キーに対応するコマンド信号を送信して（ステップＳ１０３）、ステップＳ１０１にリターンする。
ステップＳ１０２で、明るさセンサ１１６の値が閾値より小さければ、リモコン制御部１１１は、バックライト１１５が既に点灯中どうかを判定する（ステップＳ１０４）。ステップＳ１０４で、バックライト１１５が既に点灯中なら（ステップＳ１０４のＹｅｓ）、リモコン制御部１１１は、押された入力キーに対応するコマンド信号を送信する（ステップＳ１０５）。そして、タイマをリセットして（ステップＳ１０６）、ステップＳ１０１にリターンする。
【００２５】
ステップＳ１０４で、バックライト１１５が点灯してなければ（ステップＳ１０４のＮｏ）、リモコン制御部１１１は、バックライト１１５を点灯させる（消灯状態から点灯状態へと変化させる）（ステップＳ１０７）。そして、タイマをリセットして（ステップＳ１０６）、ステップＳ１０１にリターンする。
ステップＳ１０１〜Ｓ１０３の処理により、操作環境下が明るい場合には、バックライト１１５を点灯させずに、押された入力キーに対応するコマンド信号が送信される。
【００２６】
また、ステップＳ１０２、ステップＳ１０４、ステップＳ１０７の処理により、周囲の環境下が暗く、バックライト１１５が点灯していない場合には、バックライト１１５を点灯させている。このときには、暗い操作環境下でキー操作が行われたことから、コマンド信号の送信を停止している。
これに対して、ステップＳ１０２、ステップＳ１０４、ステップＳ１０５の処理により、操作環境が暗くても、バックライト１１５が既に点灯している場合には、押されたキーに対応するコマンド信号が送信させている。
【００２７】
次に、ステップＳ１０１に戻り、入力キー群１１２の何れかのキーが押下するまで処理を待機する。ここで、入力キー群１１２の何れかのキーが押下されていないときには（ステップＳ１０１のＮｏ）、リモコン制御部１１１は、バックライト１１５が点灯状態にあるかどうかを判定する（ステップＳ１０８）。バックライト１１５が点灯状態でなければ（ステップＳ１０８のＮｏ）、ステップＳ１０１にリターンする。
【００２８】
ステップＳ１０８で、バックライトが点灯中なら（ステップＳ１０８のＹｅｓ）、リモコン制御部１１１は、所定時間経過したかどうかを判定する（ステップＳ１０９）。ステップＳ１０９は、ステップＳ１０６でタイマをリセットしてからの経過時間を計測している。ステップＳ１０９で、所定時間経過していなければ（ステップＳ１０９のＮｏ）、ステップＳ１１０にリターンする。ステップＳ１０９で所定時間経過したと判定されたら（ステップＳ１０９のＹｅｓ）、リモコン制御部１１１は、バックライト１１５を消灯して（ステップＳ１１０）、ステップＳ１０１にリターンする。
【００２９】
ステップＳ１０７でバックライトを点灯させた場合、ステップＳ１０９で所定時間経過したかどうかが判定され、所定時間キー入力がないと、ステップＳ１１０で、バックライト１１５が消灯されることになる。なお、所定時間経過する前に、キー入力があると、ステップＳ１０２、ステップＳ１０４、ステップＳ１０５、ステップＳ１０６と処理が進むことになり、ステップＳ１０６でタイマがリセットされ、バックライト１１５の点灯状態に保持される。
【００３０】
図５は、本発明の第１の実施形態の遠隔操作システムにおけるテレビジョン制御部１３１の制御を示すフローチャートである。図５に示すように、テレビジョン制御部１３１側は、コマンド信号の赤外線光を受光するまで処理を待機し（ステップＳ１５１）、もし赤外線光を受光したら、この赤外線光のコマンドに応じた操作を実行する（ステップＳ１５２）。
【００３１】
以上説明したように、本発明の第１の実施形態では、リモコン１０１内に明るさセンサ１１６が実装されている。これにより、リモコン１０１側で、バックライト１１５を点灯するかどうかを判断できる。すなわち、明るさセンサ１１６の検出値により、リモコン１０１のキー操作を行うときに、操作環境下が暗いと判定されると、バックライト１１５が点灯される（消灯状態から点灯状態へと変化する）。また、バックライト１１５が点灯されてから、所定時間以上、キー操作が行われないと、バックライト１１５は消灯される。これにより、省電力化が図られる。また、明るさセンサ１１６の検出値により操作環境下が暗いと判定され、リモコン１０１のキー操作が行われたときに、バックライト１１５が点灯されているか否かが判定される。周囲環境下が暗く、バックライト１１５が消灯されているときには、リモコン１０１からのコマンド信号の送信が停止される。これにより、暗い場所で、バックライト１１５を点灯せずに、リモコン１０１を操作した場合のキーの誤動作が防止される。
【００３２】
＜第２の実施形態＞
図６は、本発明の第２の実施形態の遠隔操作システムにおけるリモコン２０１およびテレビジョン受信機２０２の内部構成の概要を示すものである。第２の実施形態の遠隔操作システムは、リモコン２０１は、リモコン制御部２１１（第１の制御手段）と、入力キー群２１２と、コード発生部２１３と、発光部２１４（送信手段）と、バックライト２１５（照明手段）とから構成されている。
【００３３】
また、テレビジョン受信機２０２は、テレビジョン制御部２３１（第２の制御手段）が設けられる。このテレビジョン制御部２３１は、チャンネル設定やボリューム設定等、テレビジョン受信機２０２の全体制御を行っている。テレビジョン制御部２３１に対して、受光部２３０（受信手段）および明るさセンサ２３３（明るさ検出手段）が設けられている。
【００３４】
前述の第１の実施形態では、リモコン１０１側に、明るさセンサ１１６が設けられている。これに対して、この第２実施形態では、テレビジョン受信機２０２側に明るさセンサ２３３を設けるようにしている。
図７は、本発明の第２の実施形態の遠隔操作システムにおけるリモコン制御部２１１の制御を示すフローチャートである。
図７において、リモコン制御部２１１は、入力キー群２１２の何れかのキーが押下するまで処理を待機している（ステップＳ２０１）。もし入力キー群２１２の何れかのキーの押下を検知した場合、リモコン制御部２１１は、処理をステップＳ２０２に進める。
【００３５】
ステップＳ２０２では、リモコン制御部２１１は、バックライト２１５が既に点灯中どうかを判定する。ステップＳ２０２で、バックライト２１５が既に点灯中なら（ステップＳ２０２のＹｅｓ）、リモコン制御部２１１は、押されたキーに対応するコマンド信号を送信する（ステップＳ２０３）。そして、タイマをリセットして（ステップＳ２０４）、ステップＳ２０１にリターンする。
【００３６】
ステップＳ２０２で、バックライト２１５が点灯してなければ（ステップＳ２０２のＮｏ）、リモコン制御部２１１は、バックライト２１５を点灯させる（消灯状態から点灯状態へと変化させる）（ステップＳ２０５）。そして、押されたキーに対応するコマンド信号を送信し（ステップＳ２０３）、タイマをリセットして（ステップＳ２０４）、ステップＳ２０１にリターンする。
ステップＳ２０１〜Ｓ２０３の処理により、キーを操作したときには、バックライト２１５が点灯していなければ、バックライト２１５が点灯され、押されたキーに対応するコマンド信号が送信される。これにより、暗い操作環境下でも、キー操作が行える。そして、ステップＳ２０４の処理により、キー操作が行われた時点で、タイマがリセットされる。
【００３７】
次に、ステップＳ２０１に戻り、入力キー群２１２の何れかのキーが押下するまで処理を待機する。ここで、入力キー群２１２の何れかのキーが押下されていないときには、リモコン制御部２１１は、バックライト２１５が点灯状態にあるかどうかを判定する（ステップＳ２０６）。バックライト２１５が点灯状態でなければ（ステップＳ２０６のＮｏ）、ステップＳ２０１にリターンする。
【００３８】
ステップＳ２０６で、バックライト２１５が点灯中なら（ステップＳ２０６のＹｅｓ）、リモコン制御部２１１は、ステップＳ２０４でタイマをリセットしてから、所定時間経過したかどうかを判定する（ステップＳ２０７）。ステップＳ２０７で、所定時間経過していなければ（ステップＳ２０７のＮｏ）、ステップＳ２０１にリターンする。ステップＳ２０７で所定時間経過したと判定されたら（ステップＳ２０７のＮｏ）、リモコン制御部２１１は、バックライト２１５を消灯して（ステップＳ２０８）、ステップＳ２０１にリターンする。
【００３９】
これにより、ステップＳ２０４でバックライト２１５を点灯させてから、所定時間キー入力がないと、バックライト２１５が消灯されることになる。なお、所定時間経過する前に、バックライト２１５を点灯させた状態で、キー入力があると、ステップＳ２０２、ステップＳ２０３、ステップＳ２０４と処理が進むことになり、ステップＳ２０４でタイマがリセットされ、バックライト２１５の点灯状態に保持される。
【００４０】
図８は、本発明の第２の実施形態の遠隔操作システムにおけるテレビジョン制御部２３１の制御を示すフローチャートである。
図８において、テレビジョン制御部２３１は、コマンド信号の赤外線光を受光するまで処理を待機し（ステップＳ２５１）、もし赤外線光を受光したら、今回のキー操作時刻ｔｎを取り込む（ステップＳ２５２）。そして、今回のキー操作時刻ｔｎと、前回のキー操作時刻ｔｎ−１とのキー操作間隔Ｔａ（Ｔａ＝ｔｎ−ｔｎ−１）を求める（ステップＳ２５３）。
【００４１】
キー操作間隔Ｔａが求められたら、テレビジョン制御部２３１は、このキー操作間隔Ｔａが所定時間以上かどうかを判定する（ステップＳ２５４）。キー操作間隔Ｔａが所定時間未満なら（ステップＳ２５４のＮｏ）、赤外線光のコマンドに応じた操作を実行し（ステップＳ２５５）、今回のキー操作時刻ｔｎを前回のキー操作時刻ｔｎ−１にして（ステップＳ２５６）、ステップＳ２５１にリターンする。
【００４２】
ステップＳ２５４で、キー操作間隔Ｔａが所定時間以上なら（ステップＳ２５４のＹｅｓ）、明るさセンサ２３３の値と閾値との比較を行う（ステップＳ２５７）。もし明るさセンサ２３３の値が閾値より大きければ（ステップＳ２５７のＹｅｓ）、赤外線光のコマンドに応じた操作を実行する（ステップＳ２５５）。そして今回のキー操作時刻ｔｎを前回のキー操作時刻ｔｎ−１にして（ステップＳ２５６）、ステップＳ２５１にリターンする。
【００４３】
ステップＳ２５７で、もし明るさセンサ２３３の値が閾値より小さければ（ステップＳ２５７のＮｏ）、赤外線光のコマンドに応じた操作を実行せずに、今回のキー操作時刻ｔｎを前回のキー操作時刻ｔｎ−１にする（ステップＳ２５６）。そしてステップＳ２５１にリターンする。
【００４４】
このように、この実施形態では、テレビジョン制御部２３１において、コマンド信号の受信タイミングからバックライト２１５が消灯された状態（消灯状態）であるか否かを推定する。そして、赤外線光のコマンドを受信したときに、その受信タイミングからバックライト２１５が消灯されていると推定され、明るさセンサ２３３の検出値により、周囲環境が所定の閾値より小さいと判定された場合には、受信したコマンド信号の操作を無効にしている。
【００４５】
すなわち、リモコン２０１のバックライト２１５は、所定時間キー入力がないと、消灯される。したがって、キー操作間隔Ｔａが所定時間以上であり、操作環境下が暗い場合には、バックライト２１５が消灯されている状態で、キー操作が行われていると推定できる。そこで、この実施形態では、キー操作間隔Ｔａが所定時間を超えたタイミングで、明るさセンサ２３３の検出値により、周囲環境が暗いかどうかを判定された場合には、赤外線光のコマンドに応じた操作を実行しないようにしている。これにより、暗い操作環境下で、バックライト２１５を点灯せずに、リモコン２０１を操作した場合のキーの誤動作が防止される。
【００４６】
＜第３の実施形態＞
図９は、本発明の第３の実施形態の遠隔操作システムにおけるリモコン３０１およびテレビジョン受信機３０２の内部構成の概要を示すものである。第３の実施形態の遠隔操作システムにおけるリモコン３０１は、リモコン制御部３１１（第１の制御手段）と、入力キー群３１２と、コード発生部３１３と、発光部３１４（送信手段）と、バックライト３１５（照明手段）とから構成されている。リモコン制御部３１１は、状態フラグ挿入機能３１７を有している。
【００４７】
また、テレビジョン受信機３０２は、テレビジョン制御部３３１（第２の制御手段）が設けられる。このテレビジョン制御部３３１は、チャンネル設定やボリューム設定等、テレビジョン受信機３０２の全体制御を行っている。テレビジョン制御部３３１に対して、受光部３３０（受信手段）および明るさセンサ３３３（明るさ検出手段）が設けられている。テレビジョン制御部３３１は、状態フラグ検出機能３３５を有している。
【００４８】
この実施形態では、リモコン３０１からのコマンド信号中に、バックライトオンオフ状態フラグが設けられる。このバックライトオンオフ状態フラグは、コマンド信号に付加される。すなわち、図１０は、コマンド信号のパルス列を示している。図１０に示すように、コマンド信号のパルス列の先頭ビットは、バックライトオンオフ状態フラグとされており、これに続いて、コマンドのパルス列が設けられる。例えば、このコマンド信号のパルス列の先頭ビットが「１」の場合には、バックライト３１５が点灯されていることを示し、このコマンド信号のパルス列の先頭ビットが「０」の場合には、バックライト３１５が消灯されていることを示す。
【００４９】
図１１は、本発明の第３の実施形態の遠隔操作システムにおけるリモコン制御部３１１の制御を示すフローチャートである。
図１１において、リモコン制御部３１１は、入力キー群２１２の何れかのキーが押下するまで処理を待機している（ステップＳ３０１）。もし入力キー群３１２の何れかのキーの押下を検知した場合、リモコン制御部３１１は、処理をステップＳ３０２に進める。
【００５０】
ステップＳ３０２では、リモコン制御部３１１は、バックライト３１５が既に点灯中どうかを判定する。ステップＳ３０２で、バックライト３１５が既に点灯中なら（ステップＳ３０２のＹｅｓ）、リモコン制御部３１１は、バックライトオンオフ状態フラグを「１」にして（ステップＳ３０３）、コマンド信号を送信する（ステップＳ３０４）。そして、タイマをリセットして（ステップＳ３０５）、ステップＳ３０１にリターンする。
【００５１】
ステップＳ３０２で、バックライト３１５が点灯してなければ（ステップＳ３０２のＮｏ）、リモコン制御部３１１は、バックライト３１５を点灯させる（消灯状態から点灯状態へと変化させる）（ステップＳ３０６）。そして、バックライトオンオフ状態フラグを「０」にして（ステップＳ３０７）、押されたキーに対応するコマンド信号を送信する（ステップＳ３０８）。そして、タイマをリセットして（ステップＳ３０５）、ステップＳ３０１にリターンする。
【００５２】
ステップＳ３０３、Ｓ３０４の処理により、バックライト３１５が点灯していれば、バックライトオンオフ状態フラグが「１」とされて、コマンド信号が送信される。バックライト３１５が消灯されていなければ、ステップＳ３０７、Ｓ３０８で、バックライトオンオフ状態フラグが「０」とされて、コマンド信号が送信される。
【００５３】
次に、ステップＳ３０１に戻り、入力キー群３１２の何れかのキーが押下するまで処理を待機する。ここで、入力キー群３１２の何れかのキーが押下されていないときには、リモコン制御部３１１は、バックライト３１５が点灯状態にあるかどうかを判定する（ステップＳ３０９）。そして、バックライト３１５が点灯状態でなければ（ステップＳ３０９のＮｏ）、ステップＳ３０１にリターンする。
【００５４】
ステップＳ３０９で、バックライト３１５が点灯中なら（ステップＳ３０９のＹｅｓ）、リモコン制御部３１１は、ステップＳ３０５でタイマをリセットしてから、所定時間経過したかどうかを判定する（ステップＳ３１０）。ステップＳ３１０で、所定時間経過していなければ（ステップＳ３１０のＮｏ）、ステップＳ３０１にリターンする。ステップＳ３１０で所定時間経過したと判定されたら（ステップＳ３１０のＹｅｓ）、リモコン制御部３１１は、バックライト３１５を消灯して（ステップＳ３１１）、ステップＳ３０１にリターンする。
【００５５】
これにより、ステップＳ３０６でバックライト３１５を点灯させてから、所定時間キー入力がないと、ステップＳ３１１で、バックライト３１５が消灯されることになる。なお、所定時間経過する前に、キー入力があると、ステップＳ３０２、ステップＳ３０３、ステップＳ３０４、ステップＳ３０５と処理が進むことになり、ステップＳ３０５タイマがリセットされ、バックライト３１５の点灯状態に保持される。
【００５６】
図１２は、本発明の第３の実施形態の遠隔操作システムにおけるテレビジョン制御部２３１の制御を示すフローチャートである。
図１２において、テレビジョン制御部２３１は、コマンド信号の赤外線光を受光するまで処理を待機している（ステップＳ３５１）。コマンド信号の赤外線光を受光したら、テレビジョン制御部２３１は、明るさセンサ３３３の値と閾値との比較を行う（ステップＳ３５２）。もし明るさセンサ３３３の値が閾値より大きければ（ステップＳ３５２のＹｅｓ）、赤外線光のコマンドに応じた操作を実行し（ステップＳ３５４）、ステップＳ３５１にリターンする。
【００５７】
ステップＳ３５２で、もし明るさセンサ３３３の値が閾値より小さければ（ステップＳ３５２のＮｏ）、テレビジョン制御部２３１は、コマンド中のバックライトオンオフ状態フラグが「１」か否かを判定する（ステップＳ３５３）。バックライトオンオフ状態フラグが「１」なら（ステップＳ３５３のＹｅｓ）、バックライト３１５は点灯されていると推定できる。この場合には、赤外線光のコマンドに応じた操作を実行し（ステップＳ３５４）、ステップＳ３５１にリターンする。
ステップＳ３５３で、バックライトオンオフ状態フラグが「０」なら（ステップＳ３５３のＮｏ）、周囲が暗い環境下で、バックライト３１５を点灯せずに、リモコン３０１が操作されたと推定できる。この場合には、コマンドを実行せずに、ステップＳ３５１にリターンする。
【００５８】
このように、この実施形態では、リモコン３０１のバックライトが点灯されている場合には、バックライトオンオフ状態フラグを「１」にして、コマンド信号が送信される。テレビジョン制御部３３１では、このバックライトオンオフ状態フラグを検出することで、リモコン３０１のバックライト３１５が点灯されているかどうかを推定している。そして、明るさセンサ３３３の検出値により、周囲環境下が暗いと推定された場合には、バックライトオンオフ状態フラグが「０」となり、コマンドの実行を無効にしている。これにより、暗い場所で、バックライト３１５を点灯せずに、リモコン３０１を操作した場合のキーの誤動作が防止される。
【００５９】
＜第４の実施形態＞
図１３は、本発明の第４の実施形態の遠隔操作システムにおけるリモコン４０１およびテレビジョン受信機４０２の内部構成の概要を示すものである。第４の実施形態の遠隔操作システムにおけるリモコン４０１は、リモコン制御部４１１（第１の制御手段）と、入力キー群４１２と、コード発生部４１３と、発光部４１４（送信手段）と、バックライト４１５（照明手段）とから構成されている。
【００６０】
図１４に示すように、入力キー群４１２には、電源オン／オフキー４２０と、チャンネルキー４２１と、チャンネルアップ／ダウンキー４２２ａおよび４２２ｂと、ボリュームアップ／ダウンキー４２３ａおよび４２３ｂの他に、特殊キー４２５が含まれている。
また、図１３に示すように、テレビジョン受信機４０２は、テレビジョン制御部４３１（第２の制御手段）が設けられる。このテレビジョン制御部４３１は、チャンネル設定やボリューム設定等、テレビジョン受信機４０２の全体制御を行っている。テレビジョン制御部４３１に対して、受光部４３０（受信手段）および明るさセンサ４３３（明るさ検出手段）が設けられている。また、テレビジョン制御部４３１は、特殊キー４２５のコマンドの判定する特殊キー検出機能４３５を含んでいる。
【００６１】
この第４の実施形態では、リモコン４０１に特殊キー４２５が含まれている。この特殊キー４２５が押された場合には、周囲の環境下の明るさとは無条件で、コマンドを実行するようにしている。なお、この特殊キー４２５は、バックライト４１５が点灯されていないときにも、認識しやすいように、他のキーとは離れた位置に配置したり、突起等を設けておく。
【００６２】
図１５は、本発明の第４の実施形態の遠隔操作システムにおけるテレビジョン制御部２３１の制御を示すフローチャートである。
図１５において、テレビジョン制御部４３１は、コマンド信号の赤外線光を受光するまで処理を待機し（ステップＳ４５１）、コマンド信号を受光したら、このコマンド信号が特殊キーのコマンドか否かを判定する（ステップＳ４５２）。特殊キー４２５のコマンドなら（ステップＳ４５２のＹｅｓ）、このコマンドに応じた操作を実行して（ステップＳ４５３）、ステップＳ４５１リターンする。受信したコマンド信号が特殊キー４２５以外のコマンド信号なら、前述の第２または第３の実施形態と同様に、明るさセンサ４３３の検出値に応じた処理を行う（ステップＳ４５４）。
【００６３】
すなわち、第２の実施形態と同様に処理する場合には、ステップＳ４５４において、明るさセンサ４３３の検出値を判定する。明るさセンサ４３３の検出値により、周囲環境が明るいと判定された場合には、コマンドに応じた操作を実行して、ステップＳ４５１にリターンする。明るさセンサ４３３の検出値により、周囲環境が暗いと判定された場合には、キー操作間隔が所定時間未満なら、コマンドに応じた操作を実行して、ステップＳ４５１にリターンする。キー操作間隔が所定時間以上なら、コマンドに応じた操作を実行せずに、ステップＳ４５１にリターンする。
【００６４】
第３の実施形態と同様に処理する場合には、ステップＳ４５４において、明るさセンサ４３３の検出値を判定する。明るさセンサ４３３の検出値により、周囲環境が明るいと判定された場合には、コマンドに応じた操作を実行して、ステップＳ４５１にリターンする。明るさセンサ４３３の検出値により、周囲環境が暗いと判定された場合には、バックライトオンオフ状態フラグが「１」なら、コマンドに応じた操作を実行して、ステップＳ４５１にリターンする。バックライトオンオフ状態フラグが「０」なら、コマンドに応じた操作を実行せずに、ステップＳ４５１にリターンする。
【００６５】
以上のように、この実施形態では、リモコン４０１の特殊キー４２５が押されると、周囲環境下の明るさには無関係に、コマンドが実行できる。なお、このような特殊キー４２５をバックライトのオンオフスイッチとしても良い。
【００６６】
＜第５の実施形態＞
図１６は、本発明の第５の実施形態の遠隔操作システムにおけるリモコン５０１およびテレビジョン受信機５０２の内部構成の概要を示すものである。第５の実施形態の遠隔操作システムにおけるリモコン５０１は、リモコン制御部５１１（第１の制御手段）と、入力キー群５１２と、コード発生部５１３と、無線送受信部５１４（第１の送受信手段）と、バックライト５１５（照明手段）とから構成されている。
【００６７】
また、テレビジョン受信機５０２は、テレビジョン制御部５３１が設けられる。このテレビジョン制御部５３１は、チャンネル設定やボリューム設定等、テレビジョン受信機５０２の全体制御を行っている。テレビジョン制御部５３１（第２の制御手段）に対して、無線送受信部５３０（第２の送受信手段）および明るさセンサ５３３（明るさ検出手段）が設けられている。
【００６８】
前述までの実施形態では、リモコン側からテレビジョン受信機側に、一方向に赤外線でコマンド信号を送信していた。これに対して、この実施形態では、リモコン５０１側の無線送受信部５１４とテレビジョン受信機５０２側の無線送受信部５３０とで、双方向に、無線通信を行っている。このような無線通信としては、ＢｌｕｔｏｏｔｈやＩＥＥＥ８０１．１１等を用いることができる。
【００６９】
図１７は、この実施形態のリモコン制御部の制御フローを示した図である。本処理はリモコン５０１内のリモコン制御部５１１で実行する。
図１７において、リモコン制御部５１１は、入力キー群５１２の何れかのキーが押下するまで処理を待機している（ステップＳ５０１）。もし入力キー群５１２の何れかのキーの押下を検知した場合、リモコン制御部５１１は、処理をステップＳ５０２に進める。
【００７０】
ステップＳ５０２では、リモコン制御部５１１は、テレビジョン受信機５０２側のテレビジョン制御部５３１と通信を行って、テレビジョン受信機５０２側の明るさセンサ５３３からの明るさ値の取得処理を行う。
明るさ値が取得されたら、リモコン制御部５１１は、明るさ値が所定値を超えているかどうかを判定する（ステップＳ５０３）。明るさ値が所定値を超えていたら（ステップＳ５０３のＹｅｓ）、リモコン制御部５１１は、バックライト５１５が既に点灯中どうかを判定する（ステップＳ５０４）。ステップＳ５０４で、バックライト５１５が既に点灯中なら（ステップＳ５０４のＹｅｓ）、リモコン制御部２１１は、バックライトを消灯する（ステップＳ５０５）。そして、押されたキーに対応するコマンド信号を送信し（ステップＳ５０６）、ステップＳ５０１にリターンする。ステップＳ５０４で、バックライト５１５が点灯してなければ（ステップＳ５０４のＮｏ）、リモコン制御部２１１は、押されたキーに対応するコマンド信号を送信し（ステップＳ５０６）、ステップＳ５０１にリターンする。
【００７１】
ステップＳ５０３で明るさ値が所定値を超えていなければ（ステップＳ５０３のＮｏ）、リモコン制御部５１１は、バックライト５１５が既に点灯中どうかを判定する（ステップＳ５０７）。ステップＳ５０７で、バックライト５１５が既に点灯中なら（ステップＳ５０７のＹｅｓ）、リモコン制御部２１１は、押されたキーに対応するコマンド信号を送信し（ステップＳ５０６）、ステップＳ５０１にリターンする。ステップＳ５０７で、バックライト５１５が点灯してなければ、リモコン制御部２１１は、バックライト５１５を点灯させる（消灯状態から点灯状態へと変化させる）（ステップＳ５０８）。このときには、コマンド信号を送信せずに、ステップＳ５０１にリターンする。
【００７２】
図１８は、ステップＳ５０２の明るさ値の取得処理を示すシーケンス図である。図１８において、リモコン５０１のリモコン制御部５１１はテレビジョン受信機５０２のテレビジョン制御部５３１に、明るさ値の要求信号を送信する（ステップＳ５５１）。テレビジョン受信機５０２のテレビジョン制御部５３１は、明るさ値の要求信号を受信すると、明るさセンサ５３３で検出された明るさ値を、リモコン５０１のリモコン制御部５１１に送信する（ステップＳ５５２）。これにより、リモコン５０１のリモコン制御部５１１は、周辺の環境下の明るさ値を取得することができる。
【００７３】
以上のように、この実施形態では、リモコン５０１側からテレビジョン制御部５３１に明るさ値の要求信号を送信し、テレビジョン受信機５０２からリモコン５０１に、明るさセンサ５３３で検出された明るさ値を送信している。これにより、リモコン５０１のリモコン制御部５１１は、周辺の環境下の明るさ値を取得することができる。
【００７４】
＜変形例、応用例＞
本発明は、上述した実施形態に限定されるものではなく、本発明の要旨を逸脱しない範囲内で様々な変形や応用が可能である。上述の実施形態では、リモコンでテレビジョン受信機を遠隔操作しているが、被遠隔操作する電子機器は、テレビジョン受信機に限定されるものではない。また、本発明は、携帯電話の入力キーを照射するバックライトを制御する入力制御方法にも、同様に適用できる。
【符号の説明】
【００７５】
１０１，２０１，３０１，４０１．５０１  リモコン
１０２，２０２，３０２，４０２，５０２  テレビジョン受信機
１１１，２１１，３１１，４１１，５１１  リモコン制御部
１１２，２１２，３１２，４１２，５１２  入力キー群
１１３，２１３，３１３，４１３，５１３  コード発生部
１１４，２１４，３１４，４１４  発光部
１１５，２１５，３１５，４１５，５１５  バックライト
１１６  明るさセンサ
１３０，２３０，３３０，４３０  受光部
１３１，２３１，３３１，４３１  テレビジョン制御部
２３３，３３３，４３３，５３３  明るさセンサ
【図１】
2010187236.tif 000003
【図２】
2010187236.tif 000004
【図３】
2010187236.tif 000005
【図４】
2010187236.tif 000006
【図５】
2010187236.tif 000007
【図６】
2010187236.tif 000008
【図７】
2010187236.tif 000009
【図８】
2010187236.tif 000010
【図９】
2010187236.tif 000011
【図１０】
2010187236.tif 000012
【図１１】
2010187236.tif 000013
【図１２】
2010187236.tif 000014
【図１３】
2010187236.tif 000015
【図１４】
2010187236.tif 000016
【図１５】
2010187236.tif 000017
【図１６】
2010187236.tif 000018
【図１７】
2010187236.tif 000019
【図１８】
2010187236.tif 000020